(57)【要約】【課題】  送風型イオン発生器において、送風機の送風停止や低下やその他の送風異常を監視することができるようにする。【解決手段】  吸い込み口に吸い込まれる風速を検出する風速センサ１２と、この風速センサ１２からの出力を入力し、その出力低下に基づいて送風機警報信号を発生する送風機警報信号発生回路２５とを備える【選択図】  図６
2006092888.tif 000002
【特許請求の範囲】
【請求項１】
吹き出し口及び吸い込み口を有する本体内に送風機を設置し、本体内の放電電極に、高電圧発生回路から高電圧を印加して放電させ、その放電によるイオンを送風機による送風により吹き出し口から吹き出す送風型イオン発生器において、前記吸い込み口に吸い込まれる風速を検出する風速センサと、この風速センサからの出力を入力し、その出力低下に基づいて送風機警報信号を発生する送風機警報信号発生回路とを備えたことを特徴とする送風型イオン発生器の警報装置。
【請求項２】
送風型イオン発生器に、プラス・マイナスそれぞれ放電電極が備えられ、高電圧発生回路は、これらプラス・マイナスそれぞれの放電電極にプラス・マイナスそれぞれの直流高電圧を印加するプラス・マイナスそれぞれの倍電圧整流回路を有し、これらプラス・マイナスの倍電圧整流回路の共通のグランドラインにクリーニング警報回路が接続され、該クリーニング警報回路は、グランドラインにおけるプラス・マイナスの差分電圧を検出し、比較器により設定電圧と比較することで、放電電極のクリーニングが必要なことを知らせるクリーニング警報信号を発生することを特徴とする請求項１に記載の送風型イオン発生器の警報装置。
【発明の詳細な説明】
【技術分野】
【０００１】
本発明は、吹き出し口及び吸い込み口を有する本体内に送風機を設置し、本体内の放電電極に、高電圧発生回路から高電圧を印加して放電させ、その放電によるイオンを送風機による送風により吹き出し口から吹き出す送風型イオン発生器に関し、特に、そのための警報装置に係るものである。
【背景技術】
【０００２】
この種の送風型イオン発生器では、送風によりイオンを遠方へ飛ばして、除電又は帯電或いは除菌を行うため、放電電極の経時による汚れは、除電又は帯電或いは除菌の性能の低下を招く。
【０００３】
例えば、特許文献１（特開２００４−２３４９７２）には、この種のイオン発生器であって、放電電極である放電針をブラシで自動的に清掃する清掃機構を備えたものが開示されている。
【０００４】
また、特許文献２（特開２００１−１１０５９０）には、プラス・マイナスそれぞれの放電針を有する送風型直流除電器であって、放電針への塵等の付着を少なくするため、プラス・マイナスの放電針に対し、それの間隔よりも短い間隔で接地電極を対向配置したものが開示されている。
【０００５】
さらに、特許文献３（特開２００３−３３２０９４）には、プラス・マイナスそれぞれの放電を行う複数の除電器の除電状態を監視し、除電状態が適切でない状況が複数発生したことを検知したときに、警報を発する除電監視モニタが開示されている。
【０００６】
しかし、送風型イオン発生器では、送風機を用いているため、送風停止や低下やその他の送風異常は、除電又は帯電或いは除菌の性能に大きく影響するが、従来、この点を配慮したものは見当たらない。
【０００７】
また、放電電極が汚れてくると、放電電流の低下により性能が低下するが、それを適切に検出して、放電電極のクリーニングが必要なことを知らせるクリーニング警報を行うものも見当たらない。
【特許文献１】特開２００４−２３４９７２
【特許文献２】特開２００１−１１０５９０
【特許文献３】特開２００３−３３２０９４
【発明の開示】
【発明が解決しようとする課題】
【０００８】
そこで、本発明の第１の課題は、送風機の送風停止や低下やその他の送風異常を監視することができるようにすることにある。
【０００９】
本発明の第２の課題は、これに加えて、放電電極のクリーニングが必要なことを知らせるクリーニング警報を適切に行うことができるようにすることにある。
【課題を解決するための手段】
【００１０】
本発明は、吹き出し口及び吸い込み口を有する本体内に送風機を設置し、本体内の放電電極に、高電圧発生回路から高電圧を印加して放電させ、その放電によるイオンを送風機による送風により吹き出し口から吹き出す送風型イオン発生器において、上記第１の課題を達成するため、吸い込み口に吸い込まれる風速を検出する風速センサと、この風速センサからの出力を入力し、その出力低下に基づいて送風機警報信号を発生する送風機警報信号発生回路とを備えたことを特徴とする。
【００１１】
また、第２の課題を達成するため、送風型イオン発生器に、プラス・マイナスそれぞれ放電電極が備えられ、高電圧発生回路は、これらプラス・マイナスそれぞれの放電電極にプラス・マイナスそれぞれの直流高電圧を印加するプラス・マイナスそれぞれの倍電圧整流回路を有し、これらプラス・マイナスの倍電圧整流回路の共通のグランドラインにクリーニング警報回路が接続されている。このクリーニング警報回路は、グランドラインにおけるプラス・マイナスの差分電圧を検出し、比較器により設定電圧と比較することで、放電電極のクリーニングが必要なことを知らせるクリーニング警報信号を発生する。
【発明の効果】
【００１２】
本発明によれば、送風機による風速が低下したとき送風機警報信号を発生するので、送風機の故障による送風停止や低下やその他の送風異常を監視することができる。その場合、吹き出し側では、風速センサが空気の乱れを生じさせてイオンバランスが悪くなるが、吸い込み側の風速、つまり吸い込み口から吸い込まれる風速を風速センサで検出するので、このような問題がないのに加え、送風機にフィルタが付設されている場合、フィルタの目詰まりも検出できる。
【００１３】
請求項２に係る発明によれば、プラス・マイナスの倍電圧整流回路の共通のグランドラインに流れる放電電流を検出して電圧に変換し、比較器により設定電圧と比較してクリーニング警報信号を発生するので、プラス・マイナスの放電電極の汚れを適切に検出して適時にクリーニング警報を発することができる。
【発明を実施するための最良の形態】
【００１４】
次に、本発明の実施例を図面に基づいて詳細に説明する。
【実施例】
【００１５】
図１は本発明を適用した送風型イオン発生器の一例の外観の正面図、図２はその背面図、図３はその側面図である。このイオン発生器の箱形本体１には、その前面にグリル付き吹き出し口２、後面にグリル付き吸い込み口３が設けられ、これら吹き出し口２と吸い込み口３との間において、図４及び図５に示す放電電極付き送風機４が本体１内に設置されている。
【００１６】
送風機４は、その本体枠５の中央に固定されたモータ６にてファン７を回転させるもので、本体枠５の円形の内周面には、プラス・マイナス２対の針状放電電極８Ａ・８Ｂが、各対においてプラス・マイナスを互いに対向させ、しかもそれぞれ金属製小ソケット９に植設して配設されている。
【００１７】
従って、送風機４は、プラス・マイナス放電電極８Ａ・８Ｂを付属した構造となっており、これら放電電極８Ａ・８Ｂの放電により生ずるプラス・マイナスのイオンを吹き出し口２から送風によって吹き出す。その吹き出し方向を角度調整摘み１０により変更できるように、箱形本体１はスタンド１１に傾動可能に支承されている。
【００１８】
箱形本体１の後面には、吸い込み口３の近傍、本例ではその下側直近に風速センサ１２が取り付けられている。風速センサ１２は、例えば、感温抵抗素子であるサーミスタの温度／抵抗特性を利用して風速に応じた電圧変化を取り出す公知のものである。
【００１９】
次に、電気的構成について図６の電気回路図を参照して説明する。
この電気回路には、定電圧回路２１と、連続的又は間欠的に高周波発振する高周波発振回路２２と、その高周波出力からプラス・マイナスそれぞれの直流高電圧を生成してプラス・マイナスそれぞれの放電電極８Ａ・８Ｂに印加するプラス・マイナスの倍電圧整流回路２３Ａ・２３Ｂと、クリーニング警報信号発生回路２４と、送風機警報信号発生回路２５が含まれている。
【００２０】
定電圧回路２１は、外部の商用電源からの電圧を一定の直流電圧にする。高周波発振回路２２は、その一定の直流電圧により自励で連続的又は間欠的に高周波発振して高周波トランス２６の二次側に高周波の高電圧を連続的又は間欠的に出力する。
【００２１】
高周波トランス２６の一次側コイル２６ａの一端は入力側グランドライン２７に、二次側コイル２６ｂの一端は出力側グランドライン２８にそれぞれ接続され、この出力側グランドライン２８は、プラス・マイナスの倍電圧整流回路２３Ａ・２３Ｂのグランドラインと、プラス・マイナスそれぞれの接地用抵抗２９Ａ・２９Ｂを介して接続され、これら倍電圧整流回路２３Ａ・３２Ｂはグランドラインを基準として電位の極性及び大きさが決まる。
【００２２】
プラス・マイナスの倍電圧整流回路２３Ａ・２３Ｂは、それぞれダイオードＤとコンデンサＣとを直列に積み重ねるように接続することにより、その積み重ねた段数だけ、高周波トランス２６の二次電圧の倍数の高圧直流電圧が得られる。この実施例では、マイナス側倍電圧整流回路２３Ｂよりもプラス側倍電圧整流回路２３Ａの増幅段数を１段だけ多くしてある。これらプラス・マイナスの倍電圧整流回路２３Ａ・２３Ｂの出力端は、プラス・マイナスの放電電極８Ａ・８Ｂとそれぞれ抵抗結合にするため、プラス・マイナス別々に電流制限用抵抗３０Ａ・３０Ｂを介して放電電極８Ａ・８Ｂに接続されている。
【００２３】
クリーニング警報信号発生回路２４は、プラス・マイナスの放電電極８Ａ・８Ｂの放電により出力側グランドライン２８に生ずるプラス・マイナスの差分電圧を検出して増幅器３１で増幅し、これを別の増幅器３２で増幅される設定電圧と比較器３３で比較し、設定電圧以上のときにホトカプラ３４をオン（又はオフ）にしてクリーニング警報信号を出力する。このクリーニング警報信号により、本体１に備えられた又は外部に設置されたランプが点灯又はブザーが鳴動し、放電電極８Ａ・８Ｂの清掃が必要であることが報知される。
【００２４】
送風機警報信号発生回路２５は、風速センサ１２の出力電圧が所定以下に低下したとき、ホトカプラ３５をオン（又はオフ）にして送風機警報信号を出力する。この送風機警報信号により、本体１に備えられた又は外部に設置されたランプが点灯又はブザーが鳴動し、送風機４が停止又はそれによる吸引が低下したことが報知される。送風機４にフィルタが付設されている場合には、フィルタの目詰まりによる風速低下を検出できるので、フィルタの清掃を促すことができる。
【図面の簡単な説明】
【００２５】
【図１】本発明を適用した送風型イオン発生器の一例の外観の正面図である。
【図２】その背面図である。
【図３】その側面図である。
【図４】その本体内に組み込まれた放電電極付き送風機の正面図である。
【図５】同じく側面図である。
【図６】電気回路図である。
【符号の説明】
【００２６】
１  本体
２  吹き出し口
３  吸い込み口
４  送風機
５  本体枠
６  モータ
７  ファン
８Ａ・８Ｂ  プラス・マイナスの放電電極
９  小ソケット
１０  角度調整摘み
１１  スタンド
１２  風速センサ
２１  定電圧回路
２２  高周波発振回路
２３Ａ・２３Ｂ  プラス・マイナスの倍電圧整流回路
２４  クリーニング警報信号発生回路
２５  送風機警報信号発生回路
２６  高周波トランス
２６ａ  一次側コイル
２６ｂ  二次側コイル
２７  入力側グランドライン
２８  出力側グランドライン
２９Ａ・２９Ｂ  接地用抵抗
３０Ａ・３０Ｂ  電流制限用抵抗
３１・３２  増幅器
３３  比較器
３４・３５  ホトカプラ
【図１】
2006092888.tif 000003
【図２】
2006092888.tif 000004
【図３】
2006092888.tif 000005
【図４】
2006092888.tif 000006
【図５】
2006092888.tif 000007
【図６】
2006092888.tif 000008